(57)【要約】【課題】配線に水が付着することによる静電容量の検出精度の低下を防止するスイッチ装置を提供する。【解決手段】スイッチ装置１は、主に、上面１４０に開口１４１が形成された筒形状となる円筒部１４を有するケース１０と、操作がなされる操作面２１ａの裏面２１ｂ側に凹部２１ｃを有し、凹部２１ｃ内に円筒部１４の上面１４０が位置するように配置されるノブ２０と、ノブ２０に設けられ、検出対象による操作面２１ａに対する操作を検出する検出電極６と、検出電極６と電気的に接続され、ケース１０の円筒部１４の開口１４１内を配線される継電部６０と、を備えて概略構成されている。【選択図】図１
2013157106.tif 000002
【特許請求の範囲】
【請求項１】
上面に開口が形成された筒形状となる筒部を有する本体と、
操作がなされる操作面の裏面側に凹部を有し、前記凹部内に前記筒部の前記上面が位置するように配置される操作部と、
前記操作部に設けられ、検出対象による前記操作面に対する操作を検出する検出部と、
前記検出部と電気的に接続され、前記本体の前記筒部の前記開口内を配線される配線と、
を備えたスイッチ装置。
【請求項２】
さらに、前記操作部の前記操作面の中央に押下げる操作が可能な押下操作部を備える請求項１に記載のスイッチ装置。
【請求項３】
前記本体は、前記配線を通す筒形状の配線管を前記開口内に有する請求項１又は２に記載のスイッチ装置。
【発明の詳細な説明】
【技術分野】
【０００１】
本発明は、スイッチ装置に関する。
【背景技術】
【０００２】
従来の技術として、支持板の上にキートップ板を取り付けて構成され、このキートップ板を十字方向に傾倒操作することにより、４方向の操作指示を行うことができる押釦用キートップが知られている（例えば、特許文献１参照。）。
【０００３】
この押釦用キートップのキートップ板は、円板形状であってその下面中央に支柱が設けられ、かつ、支柱を設けた位置を中心として放射状に離れた位置に４つの押圧部を備えている。また支持板は、この４つの押圧部に対応してクリック板とスイッチ接点を備えている。押釦用キートップは、キートップ板が押し下げられると、押し下げられた点の近くに位置する押圧部が、クリック板を介してスイッチ接点をオンするように構成されている。
【先行技術文献】
【特許文献】
【０００４】
【特許文献１】特開平８−１８５７６５号公報
【発明の概要】
【発明が解決しようとする課題】
【０００５】
従来の押釦用キートップにおいて、例えば、キートップ板に触れたことを検出する検出部を設けた場合、キートップ板と支持板との隙間から水が浸入して、検出部に接続する配線に水が付着し、付着した水の寄生容量により、誤検出をする可能性がある。
【０００６】
従って、本発明の目的は、配線に水が付着することによる静電容量の検出精度の低下を防止するスイッチ装置を提供することにある。
【課題を解決するための手段】
【０００７】
本発明の一態様は、上面に開口が形成された筒形状となる筒部を有する本体と、操作がなされる操作面の裏面側に凹部を有し、凹部内に筒部の上面が位置するように配置される操作部と、操作部に設けられ、検出対象による操作面に対する操作を検出する検出部と、検出部と電気的に接続され、本体の筒部の開口内を配線される配線と、を備えたスイッチ装置を提供する。
【発明の効果】
【０００８】
本発明によれば、配線に水が付着することによる静電容量の検出精度の低下を防止することができる。
【図面の簡単な説明】
【０００９】
【図１】図１（ａ）は、第１の実施の形態に係るスイッチ装置の上面図であり、（ｂ）は、スイッチ装置の図１（ａ）のI（ｂ）-I（ｂ）線で切断した断面を矢印の方向から見た断面図であり、（ｃ）は、スイッチ装置のブロック図である。
【図２】図２は、第２の実施の形態に係るスイッチ装置の要部断面図である。
【発明を実施するための形態】
【００１０】
（実施の形態の要約）
実施の形態に係るスイッチ装置は、上面に開口が形成された筒形状となる筒部を有する本体と、操作がなされる操作面の裏面側に凹部を有し、凹部内に筒部の上面が位置するように配置される操作部と、操作部に設けられ、検出対象による操作面に対する操作を検出する検出部と、検出部と電気的に接続され、本体の筒部の開口内を配線される配線と、を備える。
【００１１】
[第１の実施の形態]
（スイッチ装置１の構成）
図１（ａ）は、第１の実施の形態に係るスイッチ装置の上面図であり、（ｂ）は、スイッチ装置の図１（ａ）のI（ｂ）-I（ｂ）線で切断した断面を矢印の方向から見た断面図であり、（ｃ）は、スイッチ装置のブロック図である。なお、以下に記載する実施の形態に係る各図において、部品と部品との比率は、実際の比率とは異なる場合がある。
【００１２】
また、以下の記載において、上下左右は、特に断らない限り、図１（ｂ）の紙面に対する上下左右を示している。
【００１３】
スイッチ装置１は、主に、上面１４０に開口１４１が形成された筒形状となる筒部としての円筒部１４を有する本体としてのケース１０と、操作がなされる操作面２１ａの裏面２１ｂ側に凹部２１ｃを有し、凹部２１ｃ内に円筒部１４の上面１４０が位置するように配置される操作部としてのノブ２０と、ノブ２０に設けられ、検出対象による操作面２１ａに対する操作を検出する検出部としての検出電極６と、検出電極６と電気的に接続され、ケース１０の円筒部１４の開口１４１内を配線される配線としての継電部６０と、を備えて概略構成されている。
【００１４】
また、スイッチ装置１は、例えば、図１（ａ）及び（ｂ）に示すように、ノブ２０の操作面２１ａの中央に押下げる操作が可能な押下操作部としてのボタン２２と、電極３２及び電極３３が形成された基板３と、基板３の設置面３０上に配置されたゴムシート５と、を備えている。
【００１５】
さらに、スイッチ装置１のケース１０は、例えば、図１（ｂ）に示すように、継電部６０を通す筒形状の配線管としての筒部１６を開口１４１内に有している。
【００１６】
またさらに、スイッチ装置１は、例えば、図１（ｃ）に示すように、スイッチ４１〜スイッチ４５と、制御部４６と、を備えている。
【００１７】
このスイッチ装置１は、一例として、車両のステアリングに配置される多方向スイッチである。従って、スイッチ装置１は、例えば、車両に搭載された電子機器と電気的に接続されている。例えば、操作者がスイッチ装置１の操作面２１ａに接触すると、このスイッチ装置１に割り当てられた機能が車両に搭載された表示装置に表示される。また、スイッチ装置１は、例えば、ノブ２０の円周近くを押下げ操作されることにより、少なくとも４つの方向の操作指示を行うことができ、さらに、中央に設けられたボタン２２を押下げすることにより、選択の決定等の操作を行うことができる。
【００１８】
なお、検出対象は、例えば、操作者の体の一部、及びスタイラスペンのような入力装置である。以下では、特に断らない限り、検出対象は、操作者の指であるものとする。また、検出電極６による指の検出は、例えば、指と検出電極６とによって形成される静電容量に基づいて行われる。従って、指の検出は、例えば、検出されるほどの指の接近、又は接触によって行われる。以下では、特に断らない限り、指の検出は、操作面２１ａに対する接触によるものとする。
【００１９】
（ケース１０の構成）
ケース１０は、例えば、円筒形状を有する基部１２と、基部１２よりも小さい円筒形状を有して基部１２上に設けられた円筒部１４と、を備えて概略構成されている。
【００２０】
このケース１０は、例えば、ＰＰＳ(Poly Phenylene Sulfide)等の合成樹脂を用いて形成される。
【００２１】
基部１２によって形成される収容部１２０には、例えば、図１（ｂ）に示すように、基板３が収容されている。
【００２２】
円筒部１４は、例えば、開口１４１の内壁に筒部１６が形成されている。この筒部１６の貫通孔１６０には、例えば、継電部６０が配線されている。なお、継電部６０は、例えば、図１（ｂ）に示すように、この筒部１６を介して基板３に配線されるので、筒部１６近傍の基部１２は、他の領域の基部１２よりも盛り上がっている。
【００２３】
（ノブ２０の構成）
ノブ２０は、例えば、図１（ａ）に示すように、上面視において円形状を有している。また、ノブ２０は、例えば、外周近くが操作面２１ａよりも緩やかに下がるような形状となる曲部２１ｄを有している。このノブ２０は、例えば、ＰＰＳ等の合成樹脂を用いて形成される。
【００２４】
ノブ２０の操作面２１ａには、例えば、図１（ａ）に示すように、４つのマーク２０ａ〜マーク２０ｄが印刷されている。マーク２０ａは、例えば、図１（ａ）の紙面におけるノブ２０の上側に形成されている。マーク２０ｂは、例えば、図１（ａ）の紙面におけるノブ２０の下側に形成されている。マーク２０ｃは、例えば、図１（ａ）の紙面におけるノブ２０の左側に形成されている。マーク２０ｄは、例えば、図１（ａ）の紙面におけるノブ２０の右側に形成されている。
【００２５】
ノブ２０は、例えば、図１（ｂ）に示すように、裏面２１ｂから突出する円筒部２００が設けられている。この円筒部２００は、例えば、操作面２１ａの中央の凹部２０１に貫通孔２０２が形成されている。この貫通孔２０２には、ボタン２２が配置されている。スイッチ装置１は、例えば、このボタン２２が押下げられると、スイッチ４１がオンとなるように構成されている。
【００２６】
この円筒部２００は、例えば、下側の左側面に設けられた支持凹部２００ａと、下側の右側面に設けられた支持凹部２００ｂと、を備えている。支持凹部２００ａは、例えば、円筒部２００を収容する角筒部２４の内壁に設けられた凸部２４０ａが挿入される。また、支持凹部２００ｂは、例えば、角筒部２４の内壁に設けられた凸部２４０ｂが挿入される。
【００２７】
従って、ノブ２０は、マーク２０ａ及びマーク２０ｂの近傍が押下げられると、この支持凹部２００ａ及び支持凹部２００ｂを回転中心として回転する。また、図示は省略するが、ケース１０の内壁に対向して凸部が設けられ、それぞれの凸部に対応して角筒部２４に支持凹部が形成されている。従って、ノブ２０は、マーク２０ｃ及びマーク２０ｄの近傍が押下げられると、この角筒部２４の支持凹部及び支持凹部を回転中心として回転するように構成されている。
【００２８】
ノブ２０の回転により、スイッチ装置１は、例えば、マーク２０ａの近傍が押下げられると、スイッチ４２がオンとなり、マーク２０ｂの近傍が押下げられると、スイッチ４３がオンとなるように構成されている。また、スイッチ装置１は、例えば、マーク２０ｃの近傍が押下げられると、スイッチ４４がオンとなり、マーク２０ｄの近傍が押下げられると、スイッチ４５がオンとなるように構成されている。なお、図１（ｂ）においてスイッチ４２〜スイッチ４５の図示は、省略されている。
【００２９】
（ボタン２２の構成）
ボタン２２は、例えば、図１（ｂ）に示すように、断面がＴ字となるような形状を有している。つまり、ボタン２２は、例えば、円柱形状となる上部２２０と、上部よりも細長い円柱形状を有する円柱部２２１と、を備えて構成されている。ボタン２２は、例えば、ノブ２０の円筒部２００に押下げ操作可能に支持されている。このボタン２２は、例えば、ＰＰＳ等の合成樹脂を用いて形成される。
【００３０】
上部２２０の上面２２０ａは、例えば、押下げ操作のストローク分、ノブ２０の操作面２１ａから突出している。
【００３１】
円柱部２２１の下面２２１ａは、例えば、図１（ｂ）に示すように、ゴムシート５のコンタクト５１に接触している。
【００３２】
（基板３の構成）
基板３は、例えば、設置面３０に電極３２、電極３３及び制御部４６等が形成されたプリント配線基板である。この基板３は、例えば、ケース１０の基部１２の形状に合わせた円形状を有している。
【００３３】
（ゴムシート５の構成）
ゴムシート５は、例えば、基板３の設置面３０を覆うように設けられている。このゴムシート５には、例えば、図１（ｂ）に示すように、ドーム形状となるドーム５０がボタン２２の下に形成されている。このドーム５０は、例えば、その中央に導電性を有するコンタクト５１が形成されている。このコンタクト５１の周囲は、例えば、絶縁性を有している。従って、ゴムシート５は、一例として、導電性領域と絶縁性領域を分けた二色成形によって形成される。
【００３４】
また、このゴムシート５は、例えば、スイッチ装置１に組み付けられた際、ケース１０の筒部１６の底部１６１や基部１２の収容部１２０の内壁１２１によって押しつぶされ、水を基板３上に付着させない防水シートとして機能する。
【００３５】
スイッチ４１は、例えば、図１（ｂ）に示すように、ゴムシート５のドーム５０及びコンタクト５１と、設置面３０に形成された電極３２及び電極３３と、によって構成される。つまり、スイッチ４１は、ボタン２２の押下げ操作により、ボタン２２を介してコンタクト５１が電極３２及び電極３３と接触し、コンタクト５１を介して電極３２と電極３３とが通電することにより、オン状態となるように構成されている。
【００３６】
また、ゴムシート５には、例えば、ドーム５０と同様の構成を有するドームが、スイッチ４２〜スイッチ４５に対応して４つ形成されている。さらに、基板３には、例えば、電極３２及び電極３３と同様の構成を有する一対の電極が、スイッチ４２〜スイッチ４５に対応して４組形成されている。
【００３７】
電極３２及び電極３３は、例えば、他の電極と同様に、銅等の金属材料を用いて形成されている。
【００３８】
（検出電極６と継電部６０の構成）
検出電極６は、例えば、ノブ２０の裏面２１ｂに設けられている。この検出電極６は、例えば、一部が繋がっていないドーナツ形状を有している。この検出電極６には、例えば、継電部６０が接続されている。
【００３９】
なお、変形例として、検出電極６と継電部６０は、例えば、フレキシブル基板に形成されても良い。この場合、検出電極６と継電部６０が形成されたフレキシブル基板が、ノブ２０の裏面２１ｂに配置される。
【００４０】
この継電部６０は、例えば、筒部１６の貫通孔１６０を通って、基板３の裏面３１に設けられたコネクタ８と電気的に接続されている。この検出電極６は、例えば、銅等の金属材料を用いて形成される。また、継電部６０は、例えば、銅等の金属材料又は導電性ゴムを用いて形成される。
【００４１】
ここで、ケース１０の円筒部１４及び筒部１６の上面１４０は、ノブ２０の凹部２１ｃ内に位置している。従って、スイッチ装置１には、継電部６０が配線される筒部１６の上面１４０が凹部２１ｃ内に位置する構造（以下にラップ構造と記載する。）が形成される。つまり、スイッチ装置１は、例えば、ノブ２０の曲部２１ｄの底面２１０が、筒部１６の上面１４０よりも下に位置するラップ構造を有している。言い換えるなら、スイッチ装置１は、例えば、このスイッチ装置１を側面から見て、ノブ２０の曲部２１ｄが円筒部１４と重なる部分を有するラップ構造を備えている。
【００４２】
このコネクタ８は、例えば、基板３の設置面３０に形成された制御部４６に電気的に接続されている。検出電極６によって検出される静電容量は、例えば、この制御部４６によって読み出される。制御部４６は、例えば、読み出した静電容量に基づいて指の検出の有無を判定する。
【００４３】
（制御部４６の構成）
制御部４６は、例えば、検出電極６から取得する静電容量、及びスイッチ４１〜スイッチ４５から取得するスイッチ信号に基づいて操作信号を生成し、スイッチ装置１が接続された電子機器に出力するように構成されている。
【００４４】
具体的には、制御部４６は、例えば、所定の周期で検出電極６から静電容量を読み出す。制御部４６は、読み出した静電容量が、制御部４６が持つしきい値よりも大きいとき、接触有りと判定し、判定結果に基づいた操作信号を出力する。
【００４５】
また、ボタン２２が押下げられたとき、ボタン２２の移動に伴ってスイッチ４１のドーム５０が弾性変形を行い、コンタクト５１が電極３２及び電極３３と接触する。この接触により、電極３２と電極３３が、コンタクト５１を介して通電してスイッチ信号を制御部４６に出力する。制御部４６は、スイッチ４１から取得したスイッチ信号に基づいた操作信号を出力する。操作が終了すると、ドーム５０は、弾性変形した状態から初期状態に戻るため、蓄積された弾性力を開放する。この弾性力により、ボタン２２は、操作前の初期位置に復帰する。なお、スイッチ装置１は、例えば、ノブ２０及びボタン２２に弾性力を付加するばね等の弾性体を備えていても良い。
【００４６】
さらに、制御部４６は、例えば、マーク２０ａの近傍が押下げられたとき、スイッチ４１と同様の過程でスイッチ４２がオンとなり、このスイッチ４２から出力されたスイッチ信号に基づいた操作信号を出力する。これは、同様の構成を有するスイッチ４３〜スイッチ４５がオンとなったときも同じである。
【００４７】
（第１の実施の形態の効果）
本実施の形態に係るスイッチ装置１は、ラップ構造を有しているので、継電部６０に水が付着することによる静電容量の検出精度の低下を防止することができる。具体的には、スイッチ装置１は、指と検出電極６とによって形成される静電容量の大きさに基づいて指の接触の有無を判定するものである。しかし、検出電極６と電気的に接続する継電部６０に水が付着すると、水が持つ寄生容量により、操作面２１ａに指が接触していないにも関わらず静電容量が大きくなり誤検出をする場合がある。本実施の形態に係るスイッチ装置１は、継電部６０に水が付着し難い構造、すなわち、ラップ構造を有しているので、ケース１０内部への水の浸入を防止すると共に、継電部６０への水の付着を防止することができるので、誤検出を抑制し、精度の高い検出を行うことができる。
【００４８】
［第２の実施の形態］
第２の実施の形態は、一方向に操作可能なスイッチ装置に検出部を配置した点で第１の実施の形態と異なっている。
【００４９】
図２は、第２の実施の形態に係るスイッチ装置の要部断面図である。このスイッチ装置１ａは、例えば、図２に示すように、筐体９に設けられている。なお、以下に記載する実施の形態において、第１の実施の形態と同じ機能及び構成を有する部分は、第１の実施の形態と同じ符号を付し、その説明は省略するものとする。
【００５０】
本実施の形態に係るスイッチ装置１ａは、主に、上面１４０ａに開口１４１ａが形成された筒形状となる筒部としての円筒部１４ａを有するケース１０ａと、操作がなされる操作面２５ａの裏面２５ｂ側に凹部２５ｃを有し、凹部２５ｃ内に円筒部１４ａの上面１４０ａが位置するように配置されるノブ２５と、ノブ２５に設けられ、指による操作面２５ａに対する操作を検出する検出電極６ａと、検出電極６ａと電気的に接続され、ケース１０ａの円筒部１４ａの開口１４１ａ内を配線される継電部６０ａと、を備えて概略構成されている。
【００５１】
ノブ２５は、例えば、図２に示すように、一方が蓋をされた円筒形状を有し、蓋に相当する部分の表面が操作面２５ａとなる。また、ノブ２５は、例えば、図２に示すように、円柱部２２１ａを有する。この円柱部２２１ａは、凹部２５ｃの中央から突出して設けられ、ゴムシート５ａのコンタクト５１ａに接触している。
【００５２】
スイッチ装置１ａは、ノブ２５がケース１０ａの円筒部１４ａに被せられてなる、ラップ構造を有する。つまり、スイッチ装置１ａは、例えば、図２に示すように、ケース１０ａの円筒部１４ａの上面１４０ａがノブ２５の凹部２５ｃ内に位置するようなラップ構造を有する。言い換えるなら、スイッチ装置１ａは、例えば、このスイッチ装置１ａを側部２５ｄ側から見て、ノブ２５の側部２５ｄが円筒部１４ａと重なるラップ構造を備えている。
【００５３】
また、スイッチ装置１ａは、例えば、基板３ａと、ゴムシート５ａと、を備えている。
【００５４】
基板３ａは、例えば、設置面３０ａに電極３２ａ、電極３３ａ及び制御部４６等が形成されたプリント配線基板である。この基板３ａは、例えば、ケース１０ａの基部１２ａの形状に合わせた円形状を有している。
【００５５】
ゴムシート５ａは、例えば、基板３ａの設置面３０ａを覆うように設けられている。このゴムシート５ａには、例えば、図２に示すように、ドーム形状となるドーム５０ａがノブ２５の下に形成されている。
【００５６】
スイッチ４１ａは、例えば、図２に示すように、ゴムシート５ａのドーム５０ａ及びコンタクト５１ａと、設置面３０ａに形成された電極３２ａ及び電極３３ａと、によって構成される。つまり、スイッチ４１ａは、ノブ２５の押下げ操作により、ノブ２５を介してコンタクト５１ａが電極３２ａ及び電極３３ａと接触し、コンタクト５１ａを介して電極３２ａと電極３３ａとが通電することにより、オン状態となるように構成されている。
【００５７】
検出電極６ａは、例えば、ノブ２５の裏面２５ｂに設けられている。この検出電極６ａは、例えば、一部が繋がっていないドーナツ形状を有している。この検出電極６ａには、例えば、継電部６０ａが接続されている。
【００５８】
この継電部６０ａは、例えば、円筒部１４ａの開口１４１ａを通って、基板３ａの裏面３１ａに設けられたコネクタ８ａと電気的に接続されている。
【００５９】
ここで制御部４６は、例えば、所定の周期で検出電極６ａから静電容量を読み出す。制御部４６は、読み出した静電容量が、制御部４６が持つしきい値よりも大きいとき、接触有りと判定し、判定結果に基づいた操作信号を出力する。
【００６０】
また、ノブ２５が押下げられたとき、ノブ２５の移動に伴ってスイッチ４１ａのドーム５０ａが弾性変形を行い、コンタクト５１ａが電極３２ａ及び電極３３ａと接触する。この接触により、電極３２ａと電極３３ａが、コンタクト５１ａを介して通電してスイッチ信号を制御部４６に出力する。制御部４６は、スイッチ４１ａから取得したスイッチ信号に基づいた操作信号を出力する。操作が終了すると、ドーム５０ａは、弾性変形した状態から初期状態に戻るため、蓄積していた弾性力を開放する。この弾性力により、ノブ２５は、操作前の初期位置に復帰する。
【００６１】
（第２の実施の形態の効果）
本実施の形態に係るスイッチ装置１ａは、ラップ構造を有しているので、継電部６０ａに水が付着することによる静電容量の検出精度の低下を防止することができる。言い換えるなら、スイッチ装置１ａは、継電部６０ａに水が付着し難い構造、すなわち、ラップ構造を有しているので、ケース１０ａ内部への水の浸入を防止すると共に、継電部６０ａへの水の付着を防止することができるので、誤検出を抑制し、精度の高い検出を行うことができる。
【００６２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６３】
１、１ａ…スイッチ装置
３、３ａ…基板
５、５ａ…ゴムシート
６、６ａ…検出電極
８、８ａ…コネクタ
９…筐体
１０、１０ａ…ケース
１２、１２ａ…基部
１４、１４ａ…円筒部
１６…筒部
２０…ノブ
２０ａ〜２０ｄ…マーク
２１ａ…操作面
２１ｂ…裏面
２１ｃ…凹部
２１ｄ…曲部
２２…ボタン
２４…角筒部
２５…ノブ
２５ａ…操作面
２５ｂ…裏面
２５ｃ…凹部
２５ｄ…側部
３０、３０ａ…設置面
３１、３１ａ…裏面
３２、３２ａ、３３、３３ａ…電極
４１ａ、４１〜４５…スイッチ
４６…制御部
５０、５０ａ…ドーム
５１、５１ａ…コンタクト
６０、６０ａ…継電部
１２０…収容部
１２１…内壁
１４０、１４０ａ…上面
１４１、１４１ａ…開口
１６０…貫通孔
１６１…底部
２００…円筒部
２００ａ、２００ｂ…支持凹部
２０１…凹部
２０２…貫通孔
２１０…底面
２２０…上部
２２０ａ…上面
２２１、２２１ａ…円柱部
２２１ａ…下面
２４０ａ、２４０ｂ…凸部
【図１】
2013157106.tif 000003
【図２】
2013157106.tif 000004